(57)【特許請求の範囲】
【請求項１】
略方形状の座部フレームと、前記座部フレームに張力構造体として支持される座部用クッション部材とを有する座部と、
略方形状の背もたれフレームと、前記背もたれフレームに張力構造体として支持される背もたれ用クッション部材とを有する背もたれと、
下側脚部とその両側から上方に立ち上がる前側脚部及び後側脚部とを一体に備えた側面視で略Ｕ字状に形成され、左右一対設けられる脚部フレームと
を備えた椅子であって、
前記左右一対の脚部フレームは、各前側脚部の上部が、前記座部フレームの左右の座部用サイドフレームの前部にそれぞれ接続され、各後側脚部の上部が、前記背もたれフレームの左右の背もたれサイドフレームの下端にそれぞれ接続されて配設され、
前記左右一対の脚部フレームの各後側脚部間にトーションバーからなる後側架橋フレームが掛け渡され、
前記後側架橋フレームに、後方に突出する後方突出ブラケットが設けられ、
前記座部フレームの後部フレームが、前記後方突出ブラケットに連結され、かつ、
前記座部用クッション部材が、前記座部フレームに弛みなく張った状態における直径２００ｍｍの加圧板で１０００Ｎまで加圧した際の荷重−たわみ特性が、荷重値４００〜７５０Ｎの範囲の加圧時で、ばね定数５０〜８０Ｎ／ｍｍの範囲となる素材からなり、前記座部フレームに前後に掛け渡された座部用ベースネットを有する
ことを特徴とする椅子。
【請求項２】
前記座部用クッション部材が、前記座部用ベースネットを被覆する座部用表皮を有し、
前記座部用ベースネットの一端部が、前記座部フレームの前部フレーム上を通過してその下方に位置する左右の前側脚部間に掛け渡された前側架橋フレームに係合され、中途部が、前記座部フレームの後部フレームに上側から下側に掛け回され、他端部が、前記座部用表皮の前縁部に係合されている請求項１記載の椅子。
【請求項３】
前記背もたれ用クッション部材が、前記背もたれフレームに上下に掛け渡され、前記座部用ベースネットと同様の素材からなる背もたれ用ベースネットを有する請求項１又は２記載の椅子。
【請求項４】
平面視で前記座部フレームの左右に突出する略方形状に形成されると共に、サイドフレームが前記座部フレームの左右において上方に立ち上がってアームレスト部を形成するアームレスト形成用フレームをさらに有し、
前記アームレスト形成用フレームの前側横フレームが、前記左右の脚部フレームの前側脚部間に掛け渡された前側架橋フレームに接続され、前記アームレスト形成用フレームの後側横フレームが、前記後側架橋フレームに設けられた前記後方突出ブラケットに連結されている請求項１〜３のいずれか１に記載の椅子。
【発明の詳細な説明】
【技術分野】
【０００１】
本発明は椅子に関し、ミーティング用、事務用、スポーツを行うスタジアムのスタンドなどで使用される観客席用等、種々の用途に利用可能な椅子に関する。
【背景技術】
【０００２】
特許文献１には、側面視で略Ｌ字状で、左右の後脚部が下方に一体に形成され、その上方に延びる背もたれ枠部と、側面視で上記と逆の略Ｌ字状の向きで形成され、左右の前脚部が一体に形成され、その上部で略水平に後方に向かって延びる座枠部とを有し、左右の後脚部と前脚部とを付け合わせて連結すると共に、座枠部の後端部を背もたれ部の中途に幅方向に配設したトーションバーに溶接により連結した構造の椅子が開示されている。座枠部には座板がねじにより固定され、背もたれ枠部には背板が嵌め合わされている。トーションバーは、若干前方に湾曲したように配設され、座枠部にかかる力をその弾性により吸収する。
【先行技術文献】
【特許文献】
【０００３】
【特許文献１】特公昭５６−７６８９号公報
【発明の概要】
【発明が解決しようとする課題】
【０００４】
特許文献１に開示の椅子は、上記のように座板を用いている。そのため、着座時に筋肉が大きく圧迫されて変形し、血流の偏りが生じやすく、臀部や大腿部に生じる痛み、しびれが比較的早期に訪れる。これを防止するための手段として柔らかなクッション部材を用いることが考えられるが、クッション部材が柔らかすぎるとクッション部材の変形量が大きく、応力が集中してせん断力が働き、却って筋肉負担の増加につながる。
【０００５】
また、特許文献１に開示の椅子は、後脚部と背もたれ枠部が、１本のパイプを前後方向、上下方向及び幅方向に曲成して作られていると共に、前脚部と座枠部も１本のパイプを前後方向、上下方向及び幅方向に曲成して作られ、前脚部と後脚部とを突き合わせるようにして接続している。すなわち、１本の長いパイプを曲成して所定形状にしているため、製造時に扱いにくく製造誤差も生じやすい。
【０００６】
また、特許文献１に開示の椅子は、１本のパイプで形成した後脚部と背もたれ枠部の高さ方向中途位置において、幅方向にトーションバーを掛け渡した構成である。特許文献１は、着座荷重によってパイプが撓んで破損することを防止するために、トーションバーを設けてその捩れによって外力を吸収しようとするものである。しかし、特許文献１は剛体である座板を用いているため、トーションバーが捩れるようにするために、トーションバーの中央部を、支点である両端部よりも前方に膨出させ、その膨出させた部位で座枠部の後端部を溶接している。従って、座板及び座枠部が上下動する際には捩れが生じて弾性が働くが、前後に変位させる力に対してトーションバーの捩れ弾性が作用しにくい構造である。
【０００７】
本発明は上記に鑑みなされたものであり、着座時の外力を椅子全体で分散して減衰することができ、しかも、簡易な構成で安価に製造可能な椅子を提供することを課題とし、さらに、トーションバーを用いた際にトーションバーの機能を十分に発揮させ、減衰機能をより高めることができる椅子を提供することを課題とする。
【課題を解決するための手段】
【０００８】
上記課題を解決するため、本発明の椅子は、座部及び背もたれを備えた椅子であって、前記座部が、略方形状の座部フレームと、前記座部フレームに張力構造体として支持される座部用クッション部材とを有し、前記背もたれが、略方形状の背もたれフレームと、前記背もたれフレームに張力構造体として支持される背もたれ用クッション部材とを有し、前側脚部及び後側脚部とを左右一対の脚部フレームが、各前側脚部の上部を前記座部フレームの左右に接続し、各後側脚部の上部を前記背もたれフレームの左右に接続して配設され、前記座部用クッション部材が、前記座部フレームに前後に掛け渡される所定以上の面剛性の座部用ベースネットを有し、着座時の外力を、前記座部用ベースネットの面剛性で受け、前記座部フレーム、前記背もたれフレーム及び前記脚部フレームに分散して減衰する構成であることを特徴とする。
【０００９】
前記脚部フレームが、下側脚部と、その両側から上方に立ち上がる前記前側脚部及び前記後側脚部とを一体に備えた側面視で略Ｕ字状に形成されていることが好ましい。前記座部フレームの後部フレームが、前記左右の脚部フレームの後側脚部間に掛け渡されたトーションバーからなる後側架橋フレームに接続され、前記座部用クッション部材にかかる荷重により、前方斜め下方に引き寄せられる力が作用し、前記トーションバーからなる後側架橋フレームに捩れ弾性が機能する構造であることが好ましい。
【００１０】
平面視で前記座部フレームの左右に突出する略方形状に形成されると共に、サイドフレームが前記座部フレームの左右において上方に立ち上がってアームレスト部を形成するアームレスト形成用フレームをさらに有し、前記アームレスト形成用フレームの前側横フレームが、前記左右の脚部フレームの前側脚部間に掛け渡された前側架橋フレームに接続され、前記アームレスト形成用フレームの後側横フレームが、前記左右の脚部フレームの後側脚部間に掛け渡された前記後側架橋フレームに接続されていることが好ましい。前記座部用ベースネットは、直径２００ｍｍの加圧板で１０００Ｎまで加圧した際の荷重−たわみ特性において、荷重値４００〜７５０Ｎの範囲の加圧時のばね定数が５０〜８０Ｎ／ｍｍの範囲となる面剛性であることが好ましい。前記背もたれ用クッション部材が、前記背もたれフレームに上下に掛け渡される所定以上の面剛性の背もたれ用ベースネットを有してなることが好ましい。
【発明の効果】
【００１１】
本発明の椅子は、座部用クッション部材が、座部フレームに張られる所定以上の面剛性の座部用ベースネットを備えた張力構造体である。そのため、着座荷重等の外力が作用すると、座部用クッション部材は沈み込む方向に変位する。この点、特許文献１の座板のように外力が加わっても実質的な変位がない剛体とは異なり臀部の圧迫が小さい。その一方、座部用ベースネットが所定以上の面剛性であるため、外力が作用すると、座部用ベースネットを介して、座部フレーム、背もたれフレーム及び脚部フレーム等に伝達される。すなわち、外力を、張力構造体である座部用ベースネットで受けて、それを各フレーム全体に分散して減衰でき、着座時の筋肉負担が小さく、長時間着座に適した椅子である。
【００１２】
また、本発明は、座部フレーム、背もたれフレーム及び脚部フレーム、並びに、アームレスト部を設ける場合にはアームレスト形成フレームがそれぞれ異なる部材から構成されて相互に接続された構造である。そのため、特許文献１のように、座枠部と前脚部、背もたれ枠部と後脚部とをそれぞれ１本の長尺なパイプで曲成したものと比較して短いパイプで製造でき、加工時の取り扱いが容易で、製造コストの低下につなげることができる。
【００１３】
また、座部用クッション部材が張力構造体であるため、着座荷重による外力が作用すると、座部フレームの前部フレーム及び後部フレームを重心方向に変位させる力が働くが、本発明では、後部フレームをトーションバーである後側架橋フレームに接続している。そのため、後部フレームは特許文献１のように実質的に垂直方向に変位するのではなく前下方に変位しようとし、トーションバーである後側架橋フレームを脚部フレームに対して捩れる方向に変形させる。従って、左右の脚部フレームの後側脚部間に掛け渡される後側架橋フレームとしてトーションバーを用いた場合、トーションバーの捩り弾性を確実に機能させることができる。
【図面の簡単な説明】
【００１４】
【図１】図１は、本発明の一の実施形態に係る椅子の外観を示した斜視図である。
【図２】図２は、図１に椅子のフレーム構造を示した斜視図である。
【図３】図３は、図１のＡ−Ａ線断面図である。
【図４】図４は、図１の分解斜視図である。
【図５】図５は、座部用ベースネットの一例にかかる荷重-たわみ特性を示した図である。
【発明を実施するための形態】
【００１５】
以下、図面に示した実施形態に基づき、本発明をさらに詳細に説明する。本実施形態の椅子１は、座部１０、背もたれ２０、脚部３０及びアームレスト部４０，４０を有して構成される。本実施形態の椅子１は、図２に示したようなフレーム構造１Ａを有し、このフレーム構造１Ａに座部用クッション部材１２及び背もたれ用クッション部材２２等が配設される。まず、フレーム構造１Ａについて説明する。本実施形態のフレーム構造１Ａは、座部フレーム１１、背もたれフレーム２１、脚部フレーム３１，３１及びアームレスト形成フレーム４１を有して構成される。
【００１６】
座部フレーム１１は、図２及び図４に示したように、パイプ材を平面視で略方形状に加工して形成され、前部フレーム１１１、後部フレーム１１２及び左右の座部用サイドフレーム１１３，１１４を有している。左右の座部用サイドフレーム１１３，１１４には、前部フレーム１１１との交差部付近から数ｃｍ下方に延びる接続部１１３ａ，１１４ａが設けられている。
【００１７】
背もたれフレーム２１は、図２及び図４に示したように、パイプ材を正面から見て略方形状に加工して形成され、上部フレーム２１１、下部フレーム２１２及び左右の背もたれ用サイドフレーム２１３，２１４を有している。左右の背もたれサイドフレーム２１３，２１４は、本実施形態では、側面から見て上下方向中央付近２１３ａ，２１４ａが前方にせり出す形状に形成され、背もたれ用クッション部材２２を配設した際に、その部位が着座者の腰部付近を支持するランバーサポート部となる。
【００１８】
脚部フレーム３１，３１は、座部フレーム１１及び背もたれフレーム２１の幅方向の間隔と同等の間隔をおいて、左右一対設けられる。本実施形態ではいずれも同形状でパイプ材から形成され、設置面に略平行となる奥行き方向（座部用サイドフレーム１１３，１１４の長手方向に沿った方向）に所定の長さを備えた下側脚部３１ａ，３１ａと、下側脚部３１ａ，３１ａの前側端部から上方であってやや内方に向けて立ち上げる前側脚部３１ｂ，３１ｂと、下側脚部３１ａ，３１ａの後側端部から上方であってやや内方に向けて立ち上がる後側脚部３１ｃ，３１ｃとを備え、椅子１の側面方向から見た場合に、略Ｕ字状に形成されている。
【００１９】
左右の脚部フレーム３１，３１の前側脚部３１ｂ，３１ｂの上部間には、パイプ材からなる前側架橋フレーム３２が掛け渡され、左右の脚部フレーム３１，３１の後側脚部３１ｃ，３１ｃの上部間には、後側架橋フレーム３３が掛け渡されている。この後側架橋フレーム３３は、本実施形態ではトーションバーから構成される。前側架橋フレーム３２及び後側架橋フレーム３３はほぼ同じ高さに設けられており、後側脚部３１ｃ，３１ｃの上端は、その後側架橋フレーム３３との交差部付近よりも数ｃｍ上方に突出しており、この上方に突出した部位が接続部３１ｄ，３１ｄとなっている。
【００２０】
アームレスト形成用フレーム４１は、平面視で座部フレーム１１の左右に突出する大きさの略方形状に形成されている。但し、前側横フレーム４１１，４１１は、左右端から数ｃｍから十数ｃｍ程度内方に延びているだけで、幅方向に連続した部位とはなっていない。もちろん、連続した１本の部位として構成することもできるが、強度的に十分であることから、本実施形態では軽量化のためこのような構成としている。前側横フレーム４１１，４１１の後方に間隔をおいて後側横フレーム４１２は幅方向に連続した１本の部位として構成されている。前側横フレーム４１１，４１１の各外側端部と後側横フレーム４１２の各外側端部間には、略コ字状に上方に突出するサイドフレーム（アームレストサイドフレーム）４１３，４１４が配置されている。アームレストサイドフレーム４１３，４１４の上部水平部４１３ａ，４１４ａには、アームレストトリム４２１，４２２が被覆され、左右のアームレスト部４０，４０が形成される。
【００２１】
次に、各フレームの接続について説明する。脚部フレーム３１，３１の後側脚部３１ｃ，３１ｃの上部の接続部３１ｄ，３１ｄは、背もたれフレーム２１の左右の背もたれサイドフレーム２１３，２１４の下端開口内に挿入され、ねじ５１により固定される。これにより、背もたれフレーム２１と脚部フレーム３１，３１の後側脚部３１ｃ，３１ｃが一体化される。
【００２２】
脚部フレーム３１，３１の前側脚部３１ｂ，３１ｂの上端開口には、座部フレーム１１の座部用サイドフレーム１１３，１１４の前部において下方に延びる接続部１１３ａ，１１４ａが挿入され、ねじ５２により固定される。これにより、座部フレーム１１と脚部フレーム３１，３１の前側脚部３１ｂ，３１ｂが一体化される。
【００２３】
脚部フレーム３１，３１の後側脚部３１ｃ，３１ｃ間に掛け渡されたトーションバーからなる後側架橋フレーム３３には、その長手方向中間位置、両端部より数ｃｍ内方よりの位置の計３箇所に、後方に突出する後方突出ブラケット３３ａが設けられている。一方、アームレスト形成フレーム４１の後側横フレーム４１２の下面には、前方に突出する前方突出ブラケット４１２ａが、上記後側架橋フレーム３３の後方突出ブラケット３３ａの位置に対応して３箇所に設けられている。さらに、座部フレーム１１の後部フレーム１１２の下面には、後方突出ブラケット３３ａ及び前方突出ブラケット４１２ａの位置に対応して３箇所に取り付けブラケット１１２ａが設けられている。後側架橋フレーム３３の後方突出ブラケット３３ａ上に、アームレスト形成フレーム４１の前方突出ブラケット４１２ａを重ね、その上に、座部フレーム１１の後部フレーム１１２における取り付けブラケット１１２ａを位置合わせする。そして、後方突出ブラケット３３ａの下方からねじ５３により、３つのブラケット３３ａ，４１２ａ，１１２ａを連結固定する。従って、座部フレーム１１の後部フレーム１１２は、トーションバーからなる後側架橋フレーム３３のやや上斜め後方に配置されることになる。
【００２４】
アームレスト形成フレーム４１の左右に位置する前側横フレーム４１１，４１１は、座部フレーム１１の前部フレーム１１１の下方であって、前側脚部３１ｂ，３１ｂ間に掛け渡された前側架橋フレーム３２の長手方向両側部にねじ５４を介して固定される。なお、脚部フレーム３１，３１の下側脚部３１ａ，３１ａには、長手方向に所定間隔をおいて脚カバー３４，３４が配設され、下側よりねじ５５を介して固定される。
【００２５】
このようにして組付けられたフレーム構造１Ａに座部用クッション部材１２及び背もたれ用クッション部材２２が取り付けられる。座部用クッション部材１２は、座部用ベースネット１２１、座部用中間クッション１２２及び座部用表皮１２３を有して構成される。座部用ベースネット１２１は、二次元の布帛又は三次元の布帛から、平面視で略方形状に形成される。座部用ベースネット１２１は、図３及び図４に示したように、略ループ状に設けられ、その一端部１２１ａが前部フレーム１１１上を通過して、その下方に位置する前側脚部３１ｂ，３１ｂ間に掛け渡された前側架橋フレーム３２に係合部材を介して係合固定される。この一端部１２１ａより後方側の中途部１２１ｂは、後部フレーム１１２に上側から下側に掛け回され、他端部１２１ｃは前方に引き出されて後述の座部用表皮１２３の前縁部１２３ａに係合固定される。
【００２６】
座部用中間クッション１２２は、所定の厚さを有し、所定のクッション性を有するものであれば何であってもよく限定されるものではない。例えば、ポリウレタンフォームから形成したものでもよいが、通気性、排水性の観点から、三次元の布帛を用いることが好ましく、中でも、体圧分散性が高く、薄くても所定のクッション性が得られる三次元立体編物を用いることが好ましい。座部用中間クッション１２２は、本実施形態では３枚の三次元立体編物を積層して構成されるが積層数は限定されるものではない。なお、三次元立体編物は同種又は異種のものを組み合わせてもよく、さらに、座部用表皮１２３の裏面にそのうち１層又は複数層を縫製して予め一体化したものであってもよい。
【００２７】
座部用表皮１２３は、合成皮革、本革、ファブリック、二次元の布帛又は三次元の布帛等を用いて構成することができ、上記の座部用中間クッション１２２を被覆して配設される。座部用表皮１２３は、前縁部１２３ａが、前部フレーム１１１に上側から掛け回され、さらに前側架橋フレーム３２の下側に掛け回された後、後方に引き出され、上記の座部用ベースネット１２１の他端部１２１ｃと面ファスナー１２４を介して係合固定される。座部用表皮１２３の後縁部１２３ｂは、後部フレーム１１２及びアームレスト形成フレーム４１の後側横フレーム４１２に上側から下側へと掛け回されて前方に引き出され、トーションバーからなる後側架橋フレーム３３の下側を通過して、座部用ベースネット１２１の下面に面ファスナー１２５を介して係合される。
【００２８】
背もたれ用クッション部材２２は、背もたれ用ベースネット２２１と、背もたれ用中間クッション２２２と、背もたれ用表皮２２３を有して構成される。背もたれ用ベースネット２２１は、背もたれフレーム２１の上部フレーム２１１及び下部フレーム２１２間に張設される。具体的には、図３に示したように、上部フレーム２１１と下部フレーム２１２との間に正面側から後ろ側にループ状に掛け回され、後ろ側の面において、一端部２２１ａ，２２１ｂが面ファスナー２２４を介して係合される。背もたれ用中間クッション２２２は、背もたれ用ベースネット２２１に積層されて配設され、該背もたれ用中間クッション２２２を被覆するように背もたれ用表皮２２３が配設される。背もたれ用表皮２２３も、図３の断面図では上部フレーム２１１及び下部フレーム２１２の間にループ状に張られるが、各端部２２３ａ，２２３ｂが、下部フレーム２１２の下側に位置するように配設し、各端部２２３ａ，２２３ｂを下部フレーム２１２の下側で固定している。
【００２９】
ここで、座部用ベースネット１２１を構成する二次元又は三次元の布帛は、座部フレーム１１に張った状態で所定以上の面剛性を有するものが用いられる。ここでいう所定以上の面剛性を有するものとしては、座部フレーム１１に弛みのない状態で張設して、臀部面積に略相当する直径２００ｍｍの加圧板で１０００Ｎまで加圧した際の荷重−たわみ特性において、人の着座時の平均的な荷重である４００〜７５０Ｎの範囲の加圧時のばね定数が５０〜８０Ｎ／ｍｍの範囲となるものが好ましい。つまり、伸びやすくないものであり、ばね定数がこれよりも低く、荷重値が小さくても伸びやすいものは、座部用ベースネット１２１の沈み込みが大きくなり、フレーム構造１Ａ全体への荷重分散が損なわれる。例えば、図５は、旭化成商事（株）製の製品番号Ｙ２７０１３ＮＰの二次元布帛のデータであるが、荷重４００〜７５０Ｎの範囲の加圧時のばね定数が約７０Ｎ／ｍｍとなっており、この素材は座部用ベースネット１２１として適している。そして、座部用ベースネット１２１は、座部フレーム１１に自然長に対して２〜１０％の張力をかけて張って使用される。なお、背もたれ用ベースネット２２１を構成する二次元又三次元の布帛も同様のものを用いることが好ましい。
【００３０】
本実施形態の椅子１によれば、人が着座した際には、外力すなわち着座荷重によって張力構造体である座部用クッション部材１２は下方に、背もたれ用クッション部材２２は後方にそれぞれ変位する。但し、座部用ベースネット１２１及び背もたれ用ベースネット２２１として面剛性の高い素材を用いているため、変位量はそれほど大きくなく、着座荷重は、座部フレーム１１、背もたれフレーム２１、脚部フレーム３１，３１、アームレスト形成フレーム４１を含むフレーム構造１Ａ全体に伝達される。座部用ベースネット１２１及び背もたれ用ベースネット２２１の面剛性が低く、外力による変位量が大きい場合には、フレーム構造１Ａ全体で外力を受けることができないが、本実施形態においてはこのように座部用ベースネット１２１及び背もたれ用ベースネット２２１の面剛性が高いため、座部用ベースネット１２１及び背もたれ用ベースネット２２１で受け止められた着座荷重による外力がフレーム構造１Ａ全体に伝達されて減衰される。
【００３１】
また、座部用ベースネット１２１を含む座部用クッション部材１２は、座部フレーム１１の前後方向に張設されている。そして、この座部フレーム１１は、後部フレーム１１２が、後側架橋フレーム３３に後方に突出させた後方突出ブラケット３３ａを介して、当該後側架橋フレーム３３すなわちトーションバーに連結されている。そのため、着座荷重によって下方に力が作用した場合、座部用ベースネット１２１を含む座部用クッション部材１２が重心方向に引き寄せられる力が働く。このとき、座部用ベースネット１２１の前縁側（一端部１２１ａ側）は、前部フレーム１１１及び前側架橋フレーム３２に掛け回されているため、重心方向に引き寄せられる力によってもその位置はほとんど変化しない。これに対し、座部用ベースネット１２１の後縁側（中途部１２１ｂ側）は、後部フレーム１１２に掛け回されているため、重心方向に引き寄せられる力が働くと、トーションバーである後側架橋フレーム３３を後方突出ブラケット３３ａを介して前方斜め下方に変位させるようとする。すると、後方突出ブラケット３３ａは、後側架橋フレーム３３の各端部から所定の長さ内方に変位した位置に設けられているため、トーションバーである後側架橋フレーム３３の各端部が後側脚部３１ｃ，３１ｃに対して捩られ、トーションバーの弾性が機能する。
【００３２】
従って、本実施形態によれば、張力構造体である座部用クッション部材１２で力を受け、その力をフレーム構造１Ａ全体に分散して減衰させると共に、トーションバーである後側架橋フレーム３３の弾性を前方斜め下方向に作用せることができるため、上下方向だけでなく前後方向にも外力を受けた際の振動吸収機能が高く、特に、着座ショックを速やかに吸収できる。
【００３３】
また、背もたれ２０に付与される外力、すなわち、着座により背もたれ用クッション部材２２を後方に押圧する方向の力が働いた場合、同様に、面剛性の高い背もたれ用ベースネット２２１によって力が受け止められ、背もたれフレーム２１に伝達される。背もたれフレーム２１は、上記のように脚部フレーム３１，３１に連結されているため、背もたれフレーム２１に伝達された力は脚部フレーム３１，３１を介してフレーム構造１Ａ全体に伝わり減衰される。また、背もたれフレーム２１及び脚部フレーム３１，３１の後側脚部３１ｃ，３１ｃに働く前後方向の力は、トーションバーである後側架橋フレーム３３を相対的に捩れさせるため、この場合もトーションバーの弾性が機能して振動を速やかに吸収する。
【００３４】
また、本実施形態では、アームレスト形成フレーム４１の後側横フレーム４１２の下面前方突出ブラケット４１２ａを設け、トーションバーである後側架橋フレーム３３の後方突出ブラケット３３ａに上記座部フレーム１１と同様に連結している。従って、アームレスト４０，４０に前後若しくは左右に広げる方向に外力が働いた場合も、その力が後側横フレーム４１２を介してトーションバーである後側架橋フレーム３３に作用する。このため、アームレスト４０，４０に働く力もトーションバーの弾性により緩和できる。
【符号の説明】
【００３５】
１  椅子
１０  座部
１１  座部フレーム
１１１  前部フレーム
１１２  後部フレーム
１１３，１１４  座部用サイドフレーム
１２  座部用クッション部材
１２１  座部用ベースネット
１２２  座部用中間クッション
１２３  座部用表皮
２０  背もたれ
２１  背もたれフレーム
２１１  上部フレーム
２１２  下部フレーム
２１３，２１４  背もたれ用サイドフレーム
２２  背もたれ用クッション部材
２２１  背もたれ用サイドベースネット
２２２  背もたれ用中間クッション
２２３  背もたれ用表皮
３０  脚部
３１  脚部フレーム
３１ｂ  前側脚部
３１ｃ  後側脚部
３２  前側架橋フレーム
３３  後側架橋フレーム（トーションバー）
４０  アームレスト部
４１  アームレスト形成フレーム
４１２  後側横フレーム
【図１】
0006478506.tif 000002
【図２】
0006478506.tif 000003
【図３】
0006478506.tif 000004
【図４】
0006478506.tif 000005
【図５】
0006478506.tif 000006